(57)【要約】      （修正有）【課題】布上に色の変化に富んだ密度の異なるレイヤー感を備えた模様の装飾糸を形成すると共に、縫製箇所の強度を高めることができる、ミシンの糸ガイド構造体を提供する。【解決手段】布の表面に密度の異なる装飾糸を形成するミシンの糸ガイド構造体は、ミシン外部に糸ガイド構造体が設置され、糸ガイド構造体が縫い糸ガイドユニットと上装飾糸ガイドユニット４０を備え、かつミシンが縫製区域を備え、そのうち、前記縫い糸ガイドユニットが主に上下に動作する縫い針セット６０を備え、上装飾糸ガイドユニット４０が主に、縫い針セット６０と同期して上下に動作し、かつ穿孔が設けられた張力作動部材４１、第１位置規制溝４２１と第２位置規制溝４２２が設けられた上装飾糸位置規制部材４２、第１糸掛け部４３１と第２糸掛け部４３２が設けられ、かつ縫い針セット６０の動作に合わせて左右に揺動する上装飾糸保持・解放揺動部材４３を備える。【選択図】図５
0003155710.tif 000002
【実用新案登録請求の範囲】
【請求項１】
布の表面に密度の異なる装飾糸を形成するミシンの糸ガイド構造体であって、前記ミシン上に前記糸ガイド構造体が設置され、前記糸ガイド構造体は少なくとも縫い糸ガイドユニットと上装飾糸ガイドユニットを備え、かつ前記ミシンは前記縫い糸ガイドユニットと前記上装飾糸ガイドユニットが動作する縫製区域を備えており、
前記縫い糸ガイドユニットが前記縫製区域において上下に動作する縫い針セットを備え、前記上装飾糸ガイドユニットが前記縫製区域において、前記縫い針セットと同期して上下に動作し、かつ穿孔が設けられた張力作動部材、前記張力作動部材の下方に位置し、第１位置規制溝と第２位置規制溝が設けられた上装飾糸位置規制部材、前記上装飾糸位置規制部材の下方に位置し、第１糸掛け部と第２糸掛け部が設けられ、及び前記縫い針セットの動作に合わせて左右に揺動する上装飾糸保持・解放揺動部材を備えていることを特徴とする、布の表面に密度の異なる装飾糸を形成するミシンの糸ガイド構造体。
【請求項２】
前記縫い針セットは、縫い針が階段状になるように固定された第１縫い針、第２縫い針、及び第３縫い針を備えていることを特徴とする、請求項１に記載の布の表面に密度の異なる装飾糸を形成するミシンの糸ガイド構造体。
【請求項３】
前記縫い針セットは、前記第３縫い針と並列してさらに第４縫い針を備えていることを特徴とする、請求項２に記載の布の表面に密度の異なる装飾糸を形成するミシンの糸ガイド構造体。
【請求項４】
前記張力作動部材の穿孔が２つ設けられたことを特徴とする、請求項２又は請求項３に記載の布の表面に密度の異なる装飾糸を形成するミシンの糸ガイド構造体。
【考案の詳細な説明】
【技術分野】
【０００１】
本考案はミシンの糸ガイド構造体に関し、特に、３本または４本の針を運用して同時に縫うときのミシンの糸ガイド構造体に関する。
【背景技術】
【０００２】
生活水準の向上に伴い、服装も重視されるようになり、人々が流行やトレンドを追い求めるようになった。このため、紡織工業技術の成熟と材料科学技術の発展に加え、ファッションデザイナーの多様かつ複雑なデザインに合わせ、ミシン縫いの方法も当然ながら進歩が必要である。
【０００３】
図１及び図２に従来の３本の針と４本の針を備えたかがり縫いミシンで縫製した装飾糸の平面図を示す。図１において明確なように、ミシン縫いされた装飾糸１は、始めから終わりまで１本の上装飾糸３が３本の縫い糸２に押さえられて縫われている。図２において明確なように、ミシン縫いされたこの装飾糸１も、１本の上装飾糸３が４本の縫い糸２で押さえられて縫われている。このため、次のような欠点がある。
（１）従来のかがり縫いミシンは布上に形成される装飾糸１の色の変化が乏しく、模様も退屈である。
（２）縫った位置が２枚の布の継ぎ合わせ箇所である場合、従来のかがり縫いミシンで縫った装飾糸１の接合強度が不足する。
【考案の概要】
【考案が解決しようとする課題】
【０００４】
本考案の主な目的は、上述の従来のかがり縫いミシンの欠点を解決し、布上に色の変化に富んだ密度の異なるレイヤー感を備えた模様の装飾糸の効果を形成すると共に、縫製箇所の強度を高めることができる、ミシンの糸ガイド構造体を提供することにある。
【課題を解決するための手段】
【０００５】
上述の２つの問題を解決するため、本考案はミシンで縫った布の表面に密度の異なる装飾糸を形成する糸ガイド構造体を提供する。ミシンの外部に糸ガイド構造体が設置され、この糸ガイド構造体は、縫い糸ガイドユニットと上装飾糸ガイドユニットを備え、かつ前記ミシンは前記縫い糸ガイドユニットと前記上装飾糸ガイドユニットが動作する縫製区域を備えている。前記縫い糸ガイドユニットは前記縫製区域で上下に動作する縫い針セットを備え、前記上装飾糸ガイドユニットは前記縫製区域に前記縫い針セットと同期して上下に動作し、かつ穿孔が設けられた張力作動部材と、前記張力作動部材の下方に位置し、第１位置規制溝と第２位置規制溝が設けられた上装飾糸位置規制部材と、前記上装飾糸位置規制部材の下方に位置し、第１糸掛け部と第２糸掛け部が設けられ、かつ前記縫い針セットの動作に合わせ左右に揺動する上装飾糸保持・解放揺動部材を備えている。
【０００６】
本考案におけるミシンの糸ガイド構造体は、前記縫い針セットは、縫い針が階段状になるように固定された第１縫い針、第２縫い針、及び第３縫い針を備えていることを特徴とする。
本考案におけるミシンの糸ガイド構造体は、前記縫い針セットは、前記第３縫い針と並列してさらに第４縫い針を備えていることを特徴とする。
本考案におけるミシンの糸ガイド構造体は、前記張力作動部材の穿孔が２つ設けられたことを特徴とする。
【考案の効果】
【０００７】
上述の技術手段により、本考案は従来技術と比較して次のような実質的な有益点がある。
（１）本考案が布上に形成する装飾糸の色は変化により富んでおり、かつ模様にレイヤー感がある。
（２）本考案は縫った位置が２枚の布の継ぎ合わせ箇所である場合も、縫った装飾糸の接合強度が優れている。
【図面の簡単な説明】
【０００８】
【図１】従来の３本の縫い針を備えたかがり縫いミシンで縫った装飾糸の平面図である。
【図２】従来の４本の縫い針を備えたかがり縫いミシンで縫った装飾糸の平面図である。
【図３】本考案の第一実施例のミシン及びその糸ガイド構造体の斜視図である。
【図４】本考案の図３の糸ガイド構造体及び糸通し経路を示す斜視図である。
【図５】本考案の第一実施例の縫製区域の糸ガイド構造体及びその縫った装飾糸の態様を示す立体図である。
【図６】図６Ａ乃至図６Ｅは本考案の第一実施例の縫製区域の糸ガイド構造体の連続動作を示す正面図である。
【図７】本考案の第一実施例の図６Ａ乃至図６Ｅで縫って形成された密度の異なる装飾糸を示す平面図である。
【図８】本考案の第二実施例の縫製区域に４本の縫い針の縫い針セットを備えた糸ガイド構造体の正面図である。
【図９】本考案の図８で縫って形成された密度の異なる装飾糸を示す正面図である。
【考案を実施するための形態】
【０００９】
本考案の詳細な説明と技術内容について、図面を参照して説明する。
【００１０】
（第一実施例）
図３乃至図５は本考案のミシン及びその糸ガイド構造体の斜視図を示す。これらの図３乃至図５に示すように、本考案はミシンで縫った布の表面に密度の異なる装飾糸を形成する糸ガイド構造体であり、ミシン１０の外部に該糸ガイド構造体２０が設置され、該糸ガイド構造体２０は糸ガイド構造体２０の側面に縫い糸ガイドユニット３０と上装飾糸ガイドユニット４０とを備え、かつミシン１０は縫い糸ガイドユニット３０と上装飾糸ガイドユニット４０が動作する縫製区域５０を備えている。また、ミシン１０内部には図４に示す下糸７１をガイドする糸ガイド構造体が設置される(図示せず)。また、縫い糸ガイドユニット３０は縫製区域５０において上下に動作する縫い針セット６０を備える（図５に示す）。図３乃至図５では３本の縫い針を有する縫い針セット６０を示すが、該縫い針セット６０は図８に示すような４本の縫い針を有してもよい。図３に示すように該縫い針セット６０は縫い針が階段状になるように置高をずらして固定された第１縫い針６１、第２縫い針６２、及び第３縫い針６３を備えている。上装飾糸ガイドユニット４０は縫製区域５０において、縫い針セット６０と同期して上下に動作し、かつ穿孔４１１（図３乃至図５には２つの穿孔４１１を示す）が設けられた張力作動部材４１と、該張力作動部材４１の下方に位置し、一端に第１位置規制溝４２１と第２位置規制溝４２２が設置された上装飾糸位置規制部材４２と、該上装飾糸位置規制部材４２の下方に位置し、第１糸掛け部４３１と第２糸掛け部４３２が設けられ、かつ縫い針セット６０の上下の動作に合わせて左右に揺動する上装飾糸保持・解放揺動部材４３とを備えている。これにより、本考案は布９０上に色の変化に富み、模様が密度の異なるレイヤー感（多層感）を備えた装飾糸９１を形成すると共に、縫製箇所の強度を高める機能を備えたミシン糸ガイド構造体を構成する。
【００１１】
図６Ａ乃至図６Ｅに本考案の縫製区域の糸ガイド構造体の連続動作の正面図を示す。これらの図６Ａ乃至図６Ｅに示すように、縫製区域５０上の布９０には、縫い糸ガイドユニット３０の縫い針セット６０と上装飾糸ガイドユニット４０の張力作動部材４１、上装飾糸位置規制部材４２及び上装飾糸保持・解放揺動部材４３によって装飾糸９１（図５及び図７に示す）を縫い込む機能が構成される。縫い針セット６０の第１縫い針６１、第２縫い針６２、及び第３縫い針６３にはそれぞれ縫い糸７０(３種類の異なる色の縫い糸７０を使用することができる)が通され、張力作動部材４１２の２つの穿孔４１１にはそれぞれ第１上装飾糸８１と第２上装飾糸８２が通され、第１上装飾糸８１は上装飾糸位置規制部材４２の第１位置規制溝４２１に対応して通され、第２上装飾糸８２は上装飾糸位置規制部材４２の第２位置規制溝４２２に対応して通される。
【００１２】
まず、縫い針セット６０に固定された第１縫い針６１、第２縫い針６２、及び第３縫い針６３にそれぞれ通されている３本の縫い糸７０と上装飾糸位置規制部材４２下の第１上装飾糸８１及び第２上装飾糸８２とが布９０の進行方向へ引っ張られ、図６Ａに示すように縫製開始時は、第１縫い針６１、第２縫い針６２、及び第３縫い針６３が完全に布９０を貫通し、かつ下糸７１の糸ガイド構造体(図示せず)が該縫い針セット６０の動作に合わせて、下糸７１と縫い針セット６０上の各縫い糸７０を掛合させて固定する（この技術は本考案の範囲内でないため説明を省略する）。このとき、上装飾糸保持・解放揺動部材４３が縫い針セット６０から最も離れた位置まで揺動する。縫い針セット６０に通された各縫い糸７０と下糸７１が固定された後、第１上装飾糸８１と第２上装飾糸８２も縫い糸７０により布９０の表面上に固定される。
【００１３】
縫い針セット６０は図６Ｂに示すように上方向に動作し、第１糸掛け部４３１と第２糸掛け部４３２が設けられた上装飾糸保持・解放揺動部材４３が縫い針セット６０の上方向への動作に合わせて左方向に揺動する。このとき、第１糸掛け部４３１が第１上装飾糸８１を掛止することができ、かつ第２糸掛け部４３２も第２上装飾糸８２を掛止することができる。
【００１４】
縫い針セット６０が図６Ｃに示すように上方向へ動作し、あらかじめ定められた最高点に達すると、上装飾糸保持・解放揺動部材４３が動作可能な範囲の左方向の限界点まで揺動し、右方向へ戻る揺動の準備が完了する。
【００１５】
次に、縫い針セット６０が図６Ｄに示すように下方向に動作を開始すると、上装飾糸保持・解放揺動部材４３も右方向に向かって揺動を開始する。特に注意すべきなのは、このとき上装飾糸保持・解放揺動部材４３に位置する第１糸掛け部４３１と布９０の間に位置する第１上装飾糸８１は、第１縫い針６１、第２縫い針６２、第３縫い針６３の背後に位置し、上装飾糸保持・解放揺動部材４３の第１糸掛け部４３１と第１位置規制溝４２１の間に位置する第１上装飾糸８１は、第３縫い針６３のみの背後に位置する。また、上装飾糸保持・解放揺動部材４３の第２糸掛け部４３２と布９０の間に位置する第２上装飾糸８２は第２縫い針６２及び第３縫い針６３の背後に位置し、第１縫い針６１の前面に位置する。また、上装飾糸保持・解放揺動部材４３の第２糸掛け部４３２と第２位置規制溝４２２の間に位置する第２上装飾糸８２は、第３縫い針６３のみの背後に位置する点である。
【００１６】
縫い針セット６０が図６Ｅに示すように下方向に動作すると、上装飾糸保持・解放揺動部材４３も右方向に揺動し、第１糸掛け部４３１から第１上装飾糸８１を解放させる、及び第２糸掛け部４３２から第２上装飾糸８２を解放させ、縫い針セット６０が下方向に動作するため、第１縫い針６１の縫い糸７０が第１上装飾糸８１を押さえて堅実に布９０に縫い付けることがでる。また、第２縫い針６２の縫い糸７０が第１上装飾糸８１と第２上装飾糸８２を同時に押さえて堅実に布９０に縫い付けることがでる。また、第３縫い針６３の縫い糸７０が上装飾糸保持・解放揺動部材４３と布９０の間に位置する第１上装飾糸８１と第２上装飾糸８２とを同時に押さえ、また、上装飾糸保持・解放揺動部材４３と第１位置規制溝４２１の間に位置する第１上装飾糸８１と第２上装飾糸８２を重ねて堅実に布９０に縫い、張力作動部材４１が縫い針セット６０の上下の動作に合わせて第１上装飾糸８１及び第２上装飾糸８２の余剰になった糸を装飾糸位置規制部材４２と反対方向に緊張させ、１回の縫いの動作が完了する。
【００１７】
縫い針セット６０が図６Ａ乃至図６Ｅに示すように繰り返し上下動作を継続するとき、上装飾糸保持・解放揺動部材４３の左右の揺動で第１上装飾糸８１及び第２上装飾糸８２を掛止及び解放する動作を組み合わせ、図７に示すように、布９０の表面に密度の異なる、多色かつレイヤー感がある装飾糸９１を形成することができる。
【００１８】
また、３本の縫い糸７０は３種類の異なる色にすることが可能であり、また第１上装飾糸８１及び第２上装飾糸８２も３本の縫い糸７０と異なる色にすることができる。このため、本考案が布９０上に形成する装飾糸９１は色のバリエーションが多いだけでなく、模様にレイヤー感があり、縫った箇所が２枚の布の継ぎ合わせ箇所である場合も、縫った装飾糸９１の接合強度が優れている。
【００１９】
（第二実施例）
図８に本考案の縫製区域に４本の縫い針の縫い針セットを備えた糸ガイド構造体の正面図を示す。図８と図６Ｄは縫い針セット６０のみが異なるだけであり、異なるのは図８の縫い針セット６０が図６Ｄの第３縫い針６３に並列して第４縫い針６４を増加した点である。図８は本考案の縫い針セット６０が４本の縫い針を備えていても同様に実施できることを説明する。
【００２０】
図８に示すように、上装飾糸保持・解放揺動部材４３の第１糸掛け部４３１と布９０の間に位置する第１上装飾糸８１は、第１縫い針６１、第２縫い針６２、第３縫い針６３、及び第４縫い針６４の背後に位置する。上装飾糸保持・解放揺動部材４３の第１糸掛け部４３１と第１位置規制溝４２１の間に位置する第１上装飾糸８１は、第４縫い針６４のみの背後に位置する。また、上装飾糸保持・解放揺動部材４３の第２糸掛け部４３２と布９０の間に位置する第２上装飾糸８２は、同時に第３縫い針６３と第４縫い針６４のみの背後に位置し、第１縫い針６１と第２縫い針６２の背後には位置しない。上装飾糸保持・解放揺動部材４３の第２糸掛け部４３２と第２位置規制溝４２２の間に位置する第２上装飾糸８２も、第４縫い針６４の背後に位置する。
【００２１】
縫い針セット６０が下方向への動作をすると、上装飾糸保持・解放揺動部材４３も右方向へ揺動し、第１糸掛け部４３１から第１上装飾糸８１を解放し、第２糸掛け部４３２から第２上装飾糸８２を解放する。縫い針セット６０の下方向への動作により、第１縫い針６１と第２縫い針６２の縫い糸７０が第１上装飾糸８１を押さえて堅実に縫い付ける。また、第３縫い針６２の縫い糸７０が同時に第１上装飾糸８１と第２上装飾糸８２を押さえて堅実に縫い付ける。また、第４縫い針６３の縫い糸７０がさらに同時に上装飾糸保持・解放揺動部材４３と布９０の間の第１上装飾糸８１と第２上装飾糸８２と上装飾糸保持・解放揺動部材４３と装飾糸位置規制部材４２の第１上装飾糸８１と第２上装飾糸８２とを重ねて押さえ、堅実に縫い付け、さらに張力作動部材４１が縫い針セット６０の上下の動作に合わせて第１上装飾糸８１と第２上装飾糸８２を緊張させて、１回の縫いの動作が完了する。
【００２２】
４本の縫い針を備えた縫い針セット６０が上下の動作を継続するとき、上装飾糸保持・解放揺動部材４３の左右の揺動で第１上装飾糸８１と第２上装飾糸８２を掛止及び解放する動作を組み合わせ、図９に示すように、布９０の表面に密度の異なる、多色かつレイヤー感がある装飾糸９１を形成することができる。
【００２３】
４本の縫い糸７０は４種類の異なる色にすることが可能であり、また第１上装飾糸８１と第２上装飾糸８２も４本の縫い糸７０と異なる２種類の色にすることができる。このため、本考案は布９０上に形成する装飾糸９１は色のバリエーションが多いだけでなく、模様にレイヤー感があり、縫った箇所が２枚の布の継ぎ合わせ箇所である場合も、縫った装飾糸９１の接合強度が優れている。
【００２４】
本考案は、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよい。
【符号の説明】
【００２５】
１      装飾糸
２      縫い糸
３      上装飾糸
１０    ミシン
２０    糸ガイド構造体
３０    縫い糸ガイドユニット
４０    上装飾糸ガイドユニット
４１    張力作動部材
４１１  穿孔
４２    上装飾糸位置規制部材
４２１  第１位置規制溝
４２２  第２位置規制溝
４３    上装飾糸保持・解放揺動部材
４３１  第１糸掛け部
４３２  第２糸掛け部
５０    縫製区域
６０    縫い針セット
６１    第１縫い針
６２    第２縫い針
６３    第３縫い針
６４    第４縫い針
７０    縫い糸
７１    下糸
８１    第１上装飾糸
８２    第２上装飾糸
９０    布
９１    装飾糸
【図１】
0003155710.tif 000003
【図２】
0003155710.tif 000004
【図３】
0003155710.tif 000005
【図４】
0003155710.tif 000006
【図５】
0003155710.tif 000007
【図６】
0003155710.tif 000008
【図７】
0003155710.tif 000009
【図８】
0003155710.tif 000010
【図９】
0003155710.tif 000011